(57)【要約】      （修正有）【課題】実用の柔軟性を大幅に向上させることができる完全プラスチック製の液体ディスペンサーを提供する。【解決手段】完全プラスチック製の液体ディスペンサーに関し、中空ポンプフレームを含み、前記ポンプフレームはラージコーラ（１）の内部に可動的に係合され、接続カバー（２）の底部の突出部分がポンプフレームの頂部の溝まで延伸して可動に係合され、前記接続カバーの底部のポンプフレームと接続する両側に排気穴１が設けられ、前記ポンプフレーム上に、排気穴１と連通する排気穴２が貫通して設けられる。接続カバー、ポンプフレーム、およびエラストマーポンプコアをモジュール化にして、接続カバーとポンプフレームを回転させそれらの位置関係を調整することで、排気穴１と排気穴２、第１の液体出口と第２の液体出口をオンオフし、液出しシールおよび空気補充の機能を実現しながら、構造が簡単で、操作しやすいものとした。【選択図】図１
2022001505.tif 000002
【特許請求の範囲】
【請求項１】
ラージコーラ（１）、接続カバー（２）、および中空ポンプフレーム（３）を含み、前記ポンプフレーム（３）はラージコーラ（１）の内部に可動に係合され、前記ポンプフレーム（３）の頂部がラージコーラ（１）の頂端の外側まで延伸し、接続カバー（２）の底部の突出部分がポンプフレーム（３）の頂部の溝まで延伸して可動に係合される完全プラスチック製の液体ディスペンサーであって、
前記接続カバー（２）の底部のポンプフレーム（３）と接続する両側に排気穴１（４）が設けられ、前記ポンプフレーム（３）上に、排気穴１（４）と連通する排気穴２（５）が貫通して設けられ、前記排気穴２（５）の底部がラージコーラ（１）の内部空洞まで延伸し、前記ポンプフレーム（３）の軸心の両側にそれぞれ第１の液体出口（６）が貫通して設けられ、前記第１の液体出口（６）がポンプフレーム（３）の中空部分に連通し、前記接続カバー（２）上に、第１の液体出口（６）のそれぞれと対応する第２の液体出口が設けられ、
前記接続カバー（２）の内部空洞の頂部にプレスカバー（７）が設けられ、前記プレスカバー（７）が接続カバー（２）の頂端の突出部分に固定的に設けられ、前記プレスカバー（７）の軸心にプレスカバー通路（８）が貫通して設けられ、前記プレスカバー通路（８）が第１の液体出口（６）と第２の液体出口と連通する、ことを特徴とする完全プラスチック製の液体ディスペンサー。
【請求項２】
前記接続カバー（２）の頂端にエラストマーポンプコア（９）が設けられ、前記エラストマーポンプコア（９）の底部が接続カバー（２）の内部空洞まで延伸し回転可能に接続され、前記エラストマーポンプコア（９）の底部が前記プレスカバー（７）に密着し、前記エラストマーポンプコア（９）の外側の周りにシールカバー（１６）が設けられ、前記シールカバー（１６）の頂端の外側にヘッドキャップ（１０）が嵌設され、前記ヘッドキャップ（１０）の内部空洞の突出部分がエラストマーポンプコア（９）内まで延伸し、前記ヘッドキャップ（１０）の底壁の底端が接続カバー（２）内まで延伸する、ことを特徴とする請求項１に記載の完全プラスチック製の液体ディスペンサー。
【請求項３】
前記エラストマーポンプコア（９）の頂部に上部シールリングおよび下部シールリングが設けられ、前記ヘッドキャップ（１０）の内部空洞の突出部分の両側と上部シールリングの間に第３の液体出口（１１）が設けられ、第３の液体出口（１１）がシールカバー（１６）の頂端を貫通し、前記ヘッドキャップ（１０）の一側に第３の液体出口（１１）と連通する液体流出通路（１５）が貫通して設けられる、ことを特徴とする請求項２に記載の完全プラスチック製の液体ディスペンサー。
【請求項４】
前記ポンプフレーム（３）の底部の軸心に吸引管（１２）が固定的に設けられ、吸引管（１２）が第１の液体出口（６）と連通することを特徴とする請求項１に記載の完全プラスチック製の液体ディスペンサー。
【請求項５】
前記ポンプフレーム（３）の側壁の底部の周りにガスケット（１３）が設けられ、前記ガスケット（１３）がラージコーラ（１）の内部空洞に固定的に設けられる、ことを特徴とする請求項１に記載の完全プラスチック製の液体ディスペンサー。
【請求項６】
前記排気穴１（４）と排気穴２（５）がそれぞれ２つ設けられ、２つの前記排気穴１（４）または排気穴２（５）がポンプフレーム（３）の軸線に沿って対称に設けられることを特徴とする請求項１に記載の完全プラスチック製の液体ディスペンサー。
【請求項７】
前記第１の液体出口（６）が２つ設けられ、２つの前記第１の液体出口（６）がポンプフレーム（３）の軸線に沿って対称に設けられる、ことを特徴とする請求項１に記載の完全プラスチック製の液体ディスペンサー。
【請求項８】
前記プレスカバー通路（８）の真上にシールプラグ（１４）が配合して設けられることを特徴とする請求項１に記載の完全プラスチック製の液体ディスペンサー。
【発明の詳細な説明】
【技術分野】
【０００１】
本発明は、ディスペンサーの技術分野に関し、特に完全プラスチック製の液体ディスペンサーに関する。
【背景技術】
【０００２】
２０２５年の中国国家計画とＥＵのリサイクル基準により、液体ディスペンサーは通常ポンプコアとボルト本体の２つの部分で構成される。その動作原理は、ヘッドキャップを押圧することでボルト本体の容積が周期的に増減し、液体の圧力が上昇してボルト本体内の液体を吸引・排出しているが、従来の液体ディスペンサーを使用する場合、ポンプコア中の金属ばねが長期間液体に浸漬することによって残留液体がばねと接触して汚染を引き起こすことがあり、使用中の残留液体が人体に損害を及ぼしやすい。金属ばね付きの液体ディスペンサー（ポンプ）は国際基準までリサイクルすることができない。
【０００３】
従って、上記の問題を解決するために、完全プラスチック製の液体ディスペンサーを開発する必要がある。
【発明の概要】
【０００４】
本発明の目的は、上記の従来技術における問題を解決するための完全プラスチック製の液体ディスペンサーを提供することである。
【０００５】
上記の目的を達成するために、本発明は以下の解決策を提供する。ラージコーラ、接続カバー、および中空ポンプフレームを含み、前記ポンプフレームはラージコーラの内部に可動に係合され、前記ポンプフレームの頂部がラージコーラの頂端の外側まで延伸し、接続カバーの底部の突出部分がポンプフレームの頂部の溝まで延伸して可動に係合される完全プラスチック製の液体ディスペンサーであって、前記接続カバーの底部のポンプフレームと接続する両側に排気穴１が設けられ、前記ポンプフレーム上に、排気穴１と連通する排気穴２が貫通して設けられ、前記排気穴２の底部がラージコーラの内部空洞まで延伸し、前記ポンプフレームの軸心の両側にそれぞれ第１の液体出口が貫通して設けられ、前記第１の液体出口がポンプフレームの中空部分に連通し、前記接続カバー上に、第１の液体出口のそれぞれと対応する第２の液体出口が設けられ、
【０００６】
前記接続カバーの内部空洞の頂部にプレスカバーが設けられ、前記プレスカバーが接続カバーの頂端の突出部分に固定的に設けられ、前記プレスカバーの軸心にプレスカバー通路が貫通して設けられ、前記プレスカバー通路が第１の液体出口と第２の液体出口と連通する完全プラスチック製の液体ディスペンサーである。
【０００７】
好ましくは、前記接続カバーの頂端にエラストマーポンプコアが設けられ、前記エラストマーポンプコアの底部が接続カバーの内部空洞まで延伸し回転可能に接続され、前記エラストマーポンプコアの底部が前記プレスカバーに密着し、前記エラストマーポンプコアの外側の周りにシールカバーが設けられ、前記シールカバーの頂端の外側にヘッドキャップが嵌設され、前記ヘッドキャップの内部空洞の突出部分がエラストマーポンプコア内まで延伸し、前記ヘッドキャップの底壁の底端が接続カバー内まで延伸する。
【０００８】
好ましくは、前記エラストマーポンプコアの頂部に上部シールリングおよび下部シールリングが設けられ、前記ヘッドキャップの内部空洞の突出部分の両側と上部シールリングの間に第３の液体出口が設けられ、第３の液体出口がシールカバーの頂端を貫通し、前記ヘッドキャップの一側に第３の液体出口と連通する液体流出通路が貫通して設けられる。
【０００９】
好ましくは、前記ポンプフレームの底部の軸心に吸引管が固定的に設けられ、吸引管が第１の液体出口と連通する。
【００１０】
好ましくは、前記ポンプフレームの側壁の底部の周りにガスケットが設けられ、前記ガスケットがラージコーラの内部空洞に固定的に設けられる。
【００１１】
好ましくは、前記排気穴１と排気穴２はそれぞれ２つ設けられ、２つの前記排気穴１または排気穴２がポンプフレームの軸線に沿って対称に設けられる。
【００１２】
好ましくは、前記第１の液体出口が２つ設けられ、２つの前記第１の液体出口がポンプフレームの軸線に沿って対称に設けられる。
【００１３】
好ましくは、前記プレスカバー通路の真上にシールプラグが配合して設けられる。
【発明の効果】
【００１４】
本発明の技術的効果および利点は以下の通りである。
【００１５】
１．本発明は、構造を改善し、接続カバー、ポンプフレームおよびエラストマーポンプコアをモジュール化にして、接続カバーとポンプフレームを回転させそれらの位置関係を調整して、排気穴１と排気穴２、第１の液体出口と第２の液体出口をオンオフすることで、液出しシールおよび空気補充の機能を実現しながら、本発明の構造が簡単で、操作しやすく、従来の一体的な設置に比べて、本構造は実用の柔軟性を大幅に向上させることができる。
【００１６】
２．ヘッドキャップが押下されると、エラストマーポンプコアに上部シール位置と下部シール位置が設けられ、圧力がかかると、まずエラストマーポンプ本体が圧縮空気を介してシールプラグを押し、シールプラグをプレスカバー通路に押し付け、同時に第３の液体出口が開き、上部シールリングは一定の圧力がかかられると自動的に開き、液体を排出し、エラストマーポンプコアが反発と、上部シールリングがシール作用を果たし、下部シールリングが開き、同時にボルト内の液体を吸い上げ、エラストマーポンプコア内の液体が第３の液体出口から流出し、ヘッドキャップ（エラストマーの弾性力により）が跳び上がると、第３の液体出口の上部シールリングが閉じシール作用を果たし、エラストマーポンプコア内の空間が増加し、圧力が減少し、液体通過穴８が下部シールリングを押しのけ吸引管からエラストマーポンプコア内に到達し、エラストマーポンプコア内に保持され、押圧されない状態下で空間のシールが保持され、液体を無菌にする。
【図面の簡単な説明】
【００１７】
【図１】本発明の全体的な構造の概略図である。
【図２】本発明の全体的な断面構造の概略図、およびその液体流出通路と空気補充通路が開く場合の構造である。
【図３】本発明の図２のＡにおける拡大構造の概略図である。
【図４】本発明の液体流出通路と空気補充通路が閉じる場合の構造概略図である。
【図５】本発明の第２種類の空気補充構造の構造概略図である。
【図６】本発明の図５のＣにおける拡大構造の概略図である。
【符号の説明】
【００１８】
１    ラージコーラ
２    接続カバー
３    ポンプフレーム
４    排気穴１
５    排気穴２
６    第１の液体出口
７    プレスカバー
８    プレスカバー通路
９    エラストマーポンプコア
１０    ヘッドキャップ
１１    第３の液体出口
１２    吸引管
１３    ガスケット
１４    シールプラグ
１５    液体流出通路
１６    シールカバー
【発明を実施するための形態】
【００１９】
以下、本発明の実施例の図面を参照して、本発明の実施例の技術的解決策を明確かつ完全に説明するが、明らかに、説明される実施例は本発明の一部の実施例に過ぎ、すべての実施例ではない。本発明の実施例に基づき、当業者は創造的な労働をせずになされた他の実施例は、すべて本発明の保護範囲に含まれる。
【００２０】
本発明は、図１〜６に示す完全プラスチック製の液体ディスペンサーを提供し、それは、ラージコーラ１、接続カバー２および中空ポンプフレーム３を含み、前記ポンプフレーム３はラージコーラ１の内部に可動に係合され、前記ポンプフレーム３の頂部がラージコーラ１の頂端の外側に延伸し、接続カバー２の底部の突出部分がポンプフレーム３の頂部の溝内に延伸して可動に係合され、前記接続カバー２の底部とポンプフレーム３の接続箇所の両側に排気穴１４が設けられ、前記ポンプフレーム３上に、排気穴１４と連通する排気穴２５が貫通して設けられ、前記排気穴２５の底部がラージコーラ１の内部空洞まで延伸し、前記排気穴１４と排気穴２５がそれぞれ２つ設けられ、２つの前記排気穴１４または排気穴２５がポンプフレーム３の軸線に沿って対称に設けられ、
【００２１】
前記ポンプフレーム３の軸心の両側に第１の液体出口６が貫通して設けられ、前記第１の液体出口６がポンプフレーム３の中空部分と連通し、前記接続カバー２上に第１の液体出口６とそれぞれ対応する第２の液体出口が設けられ、前記第１の液体出口６が２つあり、２つの前記第１の液体出口６がポンプフレーム３の軸線に沿って対称に設けられ、前記接続カバー２の内部空洞の頂部にプレスカバー７が設けられ、前記プレスカバー７が接続カバー２の頂端の突出部分に固定的に設けられ、前記プレスカバー７の軸心にプレスカバー通路８が貫通して設けられ、前記プレスカバー通路８が第１の液体出口６と第２の液体出口に連通し、前記プレスカバー通路８の真上にシールプラグ１４が配合して設けられる。
【００２２】
さらに、前記接続カバー２の頂端にエラストマーポンプコア９が設けられ、前記エラストマーポンプコア９の底部が接続カバー２の内部空洞まで延伸し回転可能に接続され、前記エラストマーポンプコア９の底部が前記プレスカバー７に密着し、前記エラストマーポンプコア９の外側の周りにシールカバー１６が設けられ、前記シールカバー１６の頂端の外側にヘッドキャップ１０が嵌設され、前記ヘッドキャップ１０の内部空洞の突出部分がエラストマーポンプコア９まで延伸し、前記ヘッドキャップ１０の底壁の底端が接続カバー２まで延伸する。
【００２３】
また、前記エラストマーポンプコア９の頂部に上部シールリングおよび下部シールリングが設けられ、前記ヘッドキャップ１０内部空洞の突出部分の両側と上部シールリングの間に第３の液体出口１１が設けられ、第３の液体出口１１がシールカバー１６の頂端を貫通し、前記ヘッドキャップ１０の一側に第３の液体出口１１と連通する液体流出通路１５が貫通して設けられる。
【００２４】
前記ポンプフレーム３の底部の軸心に吸引管１２が固定的に設けられ、吸引管１２が第１の液体出口６と連通する。前記ポンプフレーム３の側壁の底部の周りにガスケット１３が設けられ、前記ガスケット１３がラージコーラ１の内部空洞に固定的に設けられる。
【００２５】
なお、空気補充は他の方式で行われてもよく、排気穴２５がポンプフレーム３に設けられ、図５および図６に示すように、シールプラグ１を一方向弁としてこの排気穴５に設置し、液体が外部に流出することを回避する。
【００２６】
より具体的には、ヘッドキャップ１０は弾性を有するエラストマー材料からなり、本願では、エラストマーポンプコア９およびヘッドキャップ１０で使用される具体的な弾性材料は特に限定されなく、特定の製造条件に応じて特定の材料を選択すればよい。
【００２７】
なお、接続カバー２が閉状態および開状態にあるとき、図３に示すように、接続カバー２とポンプフレーム３の間に０．５ｍｍの高さ差があり、空気補充およびシール状態を確実に確保する。
本発明の動作原理は以下の通りである。
【００２８】
使用時には、ヘッドキャップ１０が押下されると、第３の液体出口１１が開き、エラストマーポンプコア９内の液体が、図２に示すように、第３の液体出口１１を介して液体流出通路１５から流出し、ヘッドキャップ１０が押下されなくなると、ヘッドキャップ１０が跳び上がり(エラストマーの弾性力を発揮する)、第３の液体出口１１が閉じシールし、エラストマーポンプコア９内の空間が増加し、圧力が減少し、液体が吸引管１２からエラストマーポンプコア９に到達し、エラストマーポンプコア９に保持され、図３に示すように、液体の空間の気密性を確保し、液密状態を維持する。
【００２９】
シール機能は、図３に示すように、接続カバー２を左右に回転させ接続カバー２とポンプフレーム３の相対位置を変え、第１の液体出口６と第２の液体出口を合わせ、液体ディスペンサー全体の開閉を切り替え、接続カバー２とポンプフレーム３が９０度回転した後、液体ディスペンサー全体の開閉を実現し、ボルト中の液体を外部から隔離し、シール機能を実現する。
【００３０】
空気補充機能は、図２および図３を示すように、接続カバー２を左右に回転させ接続カバー２とポンプフレーム３の相対位置を変え、接続カバー２の突出部分とポンプフレーム３の凹部を合わせ、接続カバー２を持ち上げて整合変位を実現することで、接続カバー２は排気穴１４をシールしてシール作用を果たし、接続カバー上の突出がポンプフレーム上の突出に当接するまで接続カバー２を左右に回転させ、高さ差の存在により、ヘッドキャップ１０が押圧されると、接続カバー２も同時に降下し、接続カバーとポンプフレームのシール通路が開き、空気通過排気穴１４と排気穴２５を通ってボルトに入ることによって実現され、空気補充機能およびシール機能は同時に実現される。
【００３１】
ポンプ始動・ポンプアップ機能：
まず、ヘッドキャップ１０を押圧して、エラストマーポンプコア９が押され、エラストマーポンプコア９が変形し、最初に最も弱い根部が沈んで変形し、エラストマーポンプコア９の上部が変形して２層に折りたたまれ、ヘッドキャップ１０の底部が接続カバー２に当接するまでエラストマーポンプコア９の内部空間が小さくなり、この時、エラストマーポンプコア９の内部空間が最小状態になり、エラストマーポンプコア９の内部の空気が圧縮されエラストマーポンプコア９の内壁に作用し、一定の圧力に達した後内壁の最も薄い部分に、エラストマーポンプコア９の上部シートがオーバーフローし、同時にエラストマーポンプコア９の内部圧力が上昇し、エラストマーポンプコア９の底部の円点がプレスカバー７上のプレスカバー通路８に当接することで、エラストマーポンプコア９を閉じる作用を実現する。
【００３２】
手を離した後、ヘッドキャップ１０がエラストマーポンプコア９の反発により上昇し回復して、エラストマーポンプコア９の内部穴が拡大し負圧が発生し、最初にエラストマーポンプコア９の上部のシート部分が再度ヘッドキャップ１０の内輪に密着し上部オーバーフロー口を閉じる機能を実現し、同時に、エラストマーポンプコア９の負圧により、底部の円点が上昇してプレスカバー７上のプレスカバー通路８を開き、ボルト中の液体が吸引管１２およびポンプフレーム３上の第１の液体出口６と第２の液体出口による通路を介してエラストマーポンプコア９内に入り、液体のポンプアップ機能を実現し、ヘッドキャップ１０を繰り返し押圧・回復をすると、液体のポンプアップ機能を実現する。
【００３３】
なお、以上は本発明の好ましい実施例に過ぎず、本発明を限定するものではなく、前記の実施例を参照して本発明を詳細に説明したが、当業者にとって、前記の各実施例に記載された技術的解決策を修正し、または一部の技術的特徴を等価に置換することもでき、本発明の精神や原理を逸脱しない限りなされた修正、等価置換、改善などは、すべて本発明の保護範囲に含まれる。
【図１】
2022001505.tif 000003
【図２】
2022001505.tif 000004
【図３】
2022001505.tif 000005
【図４】
2022001505.tif 000006
【図５】
2022001505.tif 000007
【図６】
2022001505.tif 000008